(57)【要約】      （修正有）【課題】従来は扱い方において磨き剤を使い湯水を使い場所と時間を選ぶなど煩雑で度々使用するには不向きで在った。【解決手段】ブラシ面について、歯磨き残渣を掃い易すく捕捉され難い形状に毛束１を植毛し、本来無害な歯磨き残渣はブラシ面から風水孔２やブラシ周りから口内に掃い落し易く構成し、咄嗟に何時でも何処でも清潔な歯ブラシを咄嗟に使える構成にし、歯磨き時には、歯磨き剤や湯水を一切使用しないで良く、歯磨き残渣やプラークは、無害であるから唾液と共に吸収して、容易に始末し易すい省エネ効果に優れる一本に軸に構成した歯ブラシと、着脱装置付のブラシ部品８とハンドル部品９を設け、其々を装着した歯ブラシを提供し、歯ブラシや歯ブラシ部品を清潔にする歯ブラシ温風加熱滅菌機も提供する。【選択図】図１
2015205146.tif 000002
【特許請求の範囲】
【請求項１】
歯ブラシの滑らかなブラシ面の平面に、底面に抜ける風水孔を数個設け、毛束は風水孔を点々と囲んだ孔周植毛穴に孔周植毛したブラシ部にし、そこからアーム部を経て取っ手に伸ばしたハンドル部から成る歯ブラシと、該歯ブラシで歯を磨く時は、磨き剤や湯水を使用しないで行い、ブラシで口内やブラシ面に掃われたプラークや食物残渣等を嚥下吸収して終了にし、従来歯ブラシの如く歯磨き時に口内に溜まった諸々を口外に吐き出さないので、仰臥位や側臥位や無重力状態においても容易に使える、嚥下動作を伴う省エネ歯ブラシ。
【請求項２】
請求項１の歯ブラシを二分し、其々に着脱装置を設ける、ブラシ部背面の括れたアーム部との境に、架け橋と左右凹が在るフラスコ型着脱溝から成る着脱装置を設けた消耗するブラシ部品と、アーム部先端に縦首凹と左右凸が在るフラスコ型着脱突起から成る着脱装置を設け取手に伸びた、容易に消耗しないハンドル部品とを設け、ブラシ部品のフラスコ型着脱溝にハンドル部品のフラスコ型着脱突起を与圧挿入して成る組立省エネ歯ブラシを設け、与圧挿入の逆動作を行えば其々は着脱装置付きの歯ブラシ部品に戻り、互換性ある着脱装置付の歯ブラシ部品であれば、種々のブラシ部品やハンドル部品の組み合わせを可能にし、消耗したブラシ部品を容易に交換できる組立省エネ歯ブラシを設け、請求項１の省エネ歯ブラシを更に省エネ化させた組立省エネ歯ブラシと其の装置。
【請求項３】
従来の毛束が密に植毛された構成の歯ブラシを、請求項２の如く二分し、其々に請求項２と同じ着脱装置を設けて、消耗するブラシ部品と容易に消耗しないハンドル部品を設け、請求項２と同じように装着すれば、ブラシ部品は消耗して交換するがハンドル部品は容易に交換しなくて良い省エネが成る組立省エネ従来歯ブラシと其の装置。
【請求項４】
開閉する換気口付の着脱装置付き歯ブラシ容器と着脱装置付き電動温風加熱滅菌機を設け、滅菌すべき歯ブラシ又はブラシ部品を上記の歯ブラシ容器に入れ、上記の滅菌機に接続し、電源をオンの時は容器の換気口を開け・オフの時は口を閉める操作をして、操作が終わると接続を解いて歯ブラシは容器に入れたまま次回使用する時まで保管する、歯ブラシ温風加熱滅菌機。
【発明の詳細な説明】
【技術分野】
【０００１】  本発明は、重力の有無に関わらず、容易に仰臥位や側臥位の状況下においても使える省エネ歯ブラシと歯ブラシ温風加熱滅菌機に関する。
【背景技術】
【０００２】  従来歯ブラシ図７は、重力が在る条件下で行うブラッシングに沿った物であるから、ブラシ面に異物を捕捉する目的に沿う過密植毛が標準であり、水や風の通りが悪いから、ブラシ面に異物や雑菌が溜まり易く除去するのが難しいから清潔に保つのが困難であった。
１度使用した歯ブラシの滅菌処理を行う人は稀で在り、翌日再使用については、管理が不衛生な歯ブラシを使用する例が多く、雑菌伝播の危険もあるなどもあり、歯磨き時には湯水を大量に使いながら歯の周りを磨き掃われた食片や歯磨き剤や唾液等は、汚物のように口から吐き捨て、口内を何度も濯いでいる動作は煩雑で、重力に関係なく頻繁に使うには問題が在る。【０００３】  一般的な従来の歯ブラシ図７の歯磨き時の動作は、湯水をジャブジャブ使い水資源を使いすぎるし、使った歯ブラシはプラスチックス製で殆ど使い捨てにされるから、反省エネ的である。【０００４】  一般的な従来歯ブラシ図７では、人々は飲食うから歯を汚すから歯の周りに異物を付着する、異物を放置すると歯周病などの歯疾患を招くから、歯を磨き、歯の健康と身体の健康に無関心で居られない、しかし、扱い方が上記のように煩雑であれば間尺に合わない、無重力の宇宙船内でも扱い難く、無論、重力に関係なく立位でも座位でも仰臥位のような姿勢においても扱い難いから、従来歯ブラシによる歯磨きは敬遠され歯磨き回数が少ない。【０００５】  従来歯ブラシ図７の使用頻度は日に三回が二回に、二回が一回に減る傾向になり、使うことさえも躊躇され、歯磨きが頗る消極的になり、近くの歯医者さんと親しくして、定期的な歯石除去を委ねデンタルドクターやナースに安易な依頼心を抱き、自ら磨いて歯を守るべき姿勢が次第に失せようとしている、看過できない問題もある。
【先行技術文献】
【非特許文献】
【０００６】  本発明出願者は、今日まで数年に及び、歯ブラシに関する拙い特許出願数点を行っている者のあり、数日前の２６年３月１８日付け歯ブラシの特許出願書類における明細書（背景技術）で歯ブラシと歯磨き回数計並びに、歯磨き時に口内の食物残渣等を吸収する嚥下専用歯ブラシ用歯ブラシ、を提出していますが、浅学未熟である為、書面に明らかな記載ミスや不備等が多数在りお恥ずかしい次第であり、何れ補正書面の提出を致さねばと考えている次第です。
【発明の概要】
【発明が解決しようとする課題】
【０００７】  以上に述べた、従来の歯ブラシ図７の構成は、歯磨き時に口内の歯磨き残渣を磨き剤や湯水と唾液が混じった混合液を専ら吐き捨てて用いる歯ブラシであり、歯磨きが終わった後の管理は、ブラシ面に多くの雑菌や異物が繁殖し易いのに、毛束が過密に植毛され容易に隅々を美しくするまで清浄できない構成であるから、一度使った従来歯ブラシは、衛生上、極めて扱い難い状態に置かれる事も多く在り、問題である。【０００８】  従来の歯ブラシ図７で歯を磨くには、磨き剤や湯水や洗面所や時間や場所柄などの条件が多少でもそろわないと、歯を磨けないのでは問題である。【０００９】  従来の歯ブラシ図７の殆どはプラスチック製であり、使い捨てであり、毎日、世界中で大量に捨てられているのは、省エネの立場からも批判されている問題がある。【００１０】  従来の歯ブラシ図７で行う歯磨きにおいては、歯磨き残渣を吐き捨てる歯ブラシであり、無駄に湯水を大量に使わせ、これも省エネの立場からも批判されている問題がある。【００１１】  煩雑な動作を求める従来の歯磨き残渣吐き出し専用の歯ブラシに、何の疑いも抱かず、先祖代々、歯科衛生に関わる先輩から教えられた歯磨き習慣を盲目的に踏襲してきた問題が在る。【００１２】  ７年毎に厚生労働省発表の資料を一覧しても判るように、国民の歯科衛生状態は悪く、改善の兆しが見えない原因の一つは、国民の歯磨き回数が少ないからで、歯を汚したら何時でも何処でも歯を磨きたいと思ったときに歯を磨けない歯ブラシばかりで占められた事情が在ったからである。
上記従来の問題は、従来の歯ブラシ図７に対抗できる歯ブラシの存在が無かったからである。【００１３】  本発明は、このような従来の構成が有していた煩雑な歯磨き動作問題を解決しようとするものであり、歯磨き時に、歯磨き剤や湯水を一切使用しない歯磨き残渣を抵抗無く嚥下吸収しやすく、何時でも何処ででも咄嗟にブラシ面を乾燥し易すく、清潔に保ち、省エネ効果にも優れた構成にし、該歯ブラシによる歯磨き動作が仰臥位や腹臥位や側臥位の生活を余儀なくされている方々や、無重力の宇宙船の中において生活されている方々においても、従来の歯ブラシより数倍効率よく使え、省エネに貢献する歯ブラシの提供を目的にするものである。
【課題を解決するための手段】
【００１４】  そして、本発明は上記目的を達成するために、ブラシ部は、表面にできるだけ丸味を作り滑らかにし、平面から底面に抜ける風水孔２を数個設け、風水孔２を転々と囲む孔周植毛穴３を設け、孔周植毛穴３に孔周植毛１したブラシ部を設け、該ブラシ部のネック部４からハンドル部としてアーム５部そして取手６が在る、殆どの体位において速やかに省エネ的に扱える歯ブラシ７を設け、歯ブラシ７で歯を磨く場合は、磨き剤や湯水の使用を一切しないで、口内に掃われた食物残渣等は全て唾液と共に嚥下吸収し、ブラシ面に残渣が付着していれば吸い取り嚥下する動作を容易にした、動作を伴う歯ブラシとして提供する。仰臥位や腹臥位や側臥位などの姿勢においても使え、しかも、其の時其の場で咄嗟に使えるように構成し、使い方が煩雑な従来歯ブラシの動作とは対称的に簡単な動作で使える、重力に影響されない条件下で自在に使える省エネ的歯ブラシ７を提供する。【００１５】  上記の省エネ歯ブラシ７を更に省エネ化する歯ブラシにする手段として、歯ブラシ７についてネック部４を境にブラシ部とハンドル部に２分し、其々を、着脱できる組立式歯ブラシの部品にする為、ブラブラシ部品８においては、ネック部４のくびれた背面から、首を短くしたフラスコ側面に見える首上部を上中空に開けたフラスコ型の口から、フラスコ型を保ちブラシ正面方向に、左右首凹１１を設けて伸ばし架け橋２０を潜ったフラスコ型着脱溝１０を設け、ハンドル部品９においては、アーム部５先端に、首が短いフラスコ側面を縦長に伸ばした円柱に小ぶりの四角柱を着けて正面は首を短くしたフラスコ状に見え、縦首凹２１と左右凸１２を設けて伸ばしたフラスコ型着脱突起１３を設け、ブラシ部品８のフラスコ型着脱溝１０にハンドル部品９のフラスコ型着脱突起１３を与圧挿入し、左右凹１１に左右凸１２、架け橋２０に縦首凹２１を嵌めてブラシ部品８にハンドル部品９を装着した歯ブラシ１４を設け、該、装着した動作を逆操作すればブラシ部品８とハンドル部品９に戻り、次に、ブラシ部品８は消耗する部品であるから廃棄にそなえた予備を準備するが、ハンドル部品９は素材の強弱によるが半永久的に使える部品でも在るので、歯ブラシ７よりも更に省エネ化され機能性に富む、組立省エネ歯ブラシ１４とその装置を提供する。着脱溝１０の溝・着脱突起１３の円形の挿入軸の何れかあるいは両方に凹凸を設けて、着脱を締めやすくするのも良い、竹や木の枝を削ってハンドル部品を個人が製作する場合には、多少荒削りであってもブラシ部品に嵌めて締まり易く左右凸１２や縦首凹２１を設けなくても十分ハンドル部品の代わりが出来るから良い。【００１６】  毛束が密に植毛された構成の歯ブラシ図７の如き歯ブラシを、組立歯ブラシにする為、従来歯ブラシのブラシ面のネック部４のくびれた背面に、組立省エネ歯ブラシ１４と同様の、フラスコ型着脱溝１０を設けた従来歯ブラシのブラシ面に毛束を密に植毛したブラシ部品１５を設け、共用する、組立省エネ歯ブラシ１４のハンドル部品９フラスコ型着脱突起１３を、ブラシ部品１５に、与圧挿入して組立省エネ従来歯ブラシ１６が成り、装着した動作を逆操作すれば其々ブラシ部品１５と共用するハンドル部品９に戻り、ブラシ部品１５は消耗する部品であるから廃棄にそなえた予備を準備するが、共用するハンドル部品９は素材の強弱によるが半永久的に使える部品でも在るから、更に省エネ化された、組立省エネ従来型歯ブラシ１６とその装置を提供する。
組立省エネ従来型歯ブラシ１６での歯磨き動作は従来の如く使うと煩雑で在るから、前記歯ブラシ７歯ブラシ１４の歯磨き動作の如く使用するのも良い。従来からの習慣として慣れ親しんだ歯磨きのスタイルであるから、次第に本出願の歯ブラシ７・１４に慣れるように、ブラシ部品８とブラシ部品１５をと併用したりして使用するのも良い。【００１７】  着脱装置付き歯ブラシ容器１７と着脱装置付き電動式の温風加熱滅菌機１８を設け、滅菌すべき歯ブラシ又はブラシ部品８・１５を挿入した歯ブラシ容器１７を、温風加熱滅菌機１８に接続して電源をオン・オフの操作をして成る、歯ブラシ温風加熱滅菌機１９を提供する。
電源スイッチに通電時間設定装置を付けるのも良い。【００１８】  歯ブラシ７、歯ブラシ１４の使い方は、歯磨き時に、歯磨き剤や湯水の使用をしないで歯の周りから口内に掃われる食物の咀嚼残渣や食片を唾液と共に全て嚥下吸収し、歯磨きを終わりブラシ面に目視できる残渣や食片等が残っていれば、口で吸い取り、吸い取れない残渣等が毛束に絡んでいたりしている時は、爪楊枝のようなもので絡んだ異物を掃うのも良い。
取手６を、容器取手にして、楊枝やガーゼや綿布などやスペアーのブラシ部品や歯磨き計を設け、出し入れ等に使うのも良い。
ブラシ面は平坦も良いが、歯磨き残渣等を滑りやすく盛り上げたり窪みを設けるなどの高低をつけたりして残渣等を集めて口内に吸い込み嚥下する構成を試みるのも良い。
ブラシ面の風や水の透しを良くする通孔２の数や形、毛束の硬さ高さや整毛の具合、ハンドルの長さや形、素材等はニーズに沿って提供するのが良い。【００１９】  組立て式歯ブラシにおける着脱装置は、着脱が不安定であってはならない、が、強力すぎても良くないので、老若男女の方が平均的に難なく扱える着脱力を備えるようにするが、より強力な着脱を望む人の為に、従来からあるグリップ装置を援用して、ボルトとナットを付属するなど色々と検討して採用するのも良い。
上記では不適である場合において、従来に本出願者が申請したが審査請求に及んでいない組み立て歯ブラシの構成や、既存のこの種に適した接続技術（例えばネジ式）などの採用も良いと思う。
歯ブラシにとって、ブラシ部を清潔に保つ事は重要な用件であるから、通風し易い通水し易い構成に努力したが、一層に清潔を保つため湿度を避けた容器に乾燥剤や除湿剤入りブラシ容器の携行をするのも良い。
歯磨き回数を自覚しやすい、歯磨き回数計１については、歯ブラシのハンドル部に設けた容器取手にセットして用いる事を先に出願したが、小型の歯磨き回数計を歯ブラシと一緒に握ってブラッシングすれば歯磨き回数をカウントできる物を設けるのも良い。
本出願の歯ブラシ全体、又は部分だけについて、素材を再生可能な竹や木、狸等の毛に求めて提供する事も良いが、コスト面を考慮すれば、プラスチックを素材にした規格品の量産品を提供する方が容易であるので、両立する手段の実効を研究して行うのも良い。
【発明の効果】
【００２０】  本発明は、上記、従来歯ブラシ図７の構成が有していた問題を解決し、本出願の歯ブラシ使用効果は、歯磨き回数を飛躍的に伸ばせる歯ブラシであり、歯磨き剤や湯水を一切使用しない省エネ効果、消耗しないハンドルにおいての省エネ効果を発揮できるし、従来の歯ブラシに援用することも可能であり、仰臥位や側臥位や腹臥位の方や無重力の宇宙船内においても使える構成であるから、世界中の人々の健康生活に裨益すると信じて疑わないものであります。【００２１】  飲食等で歯を少しでも汚した時、何時でも何処でも咄嗟に使える、お酒やコーヒーを飲んでもお菓子を食べても、食事をしても、味覚が冴え、出された料理の本当の味を楽しめる、歯の健康には歯磨きが一番であるから、本発明の清潔な状態にした歯ブラシなら、容易に使える歯ブラシとして、従来歯ブラシよりも飛躍的なご支持が得られると信じるので、普及すれば驚くほど国民の歯科衛生改善効果を発揮する事ができる。【００２２】  歯ブラシを使用して歯磨きが終わり、再び使用する場合、該歯ブラシが清潔に保たれているかいないかは重大な関心事で在ったが電源があれば、歯ブラシ温風加熱滅菌機を提供する事で問題をある程度解決できる。
【図面の簡単な説明】
【００２３】
【図１】本発明の実施形態を示す組立カートリッジ式の歯磨き残渣嚥下専用の歯ブラシ１４の側面の部分断面図
【図２】同歯ブラシのブラシ部品８の平面図
【図３】同歯ブラシのブラシ部品８の背面図
【図４】同歯ブラシのハンドル部品９の部分側面図
【図５】嚥下専用の歯ブラシ７の平面図
【図６】組立て嚥下専用の歯ブラシ１４の平面図
【図７】従来歯ブラシの平面図
【図８】組立の従来歯ブラシ１６の平面図
【図９】孔周植毛１を２連設けたブラシ部品の平面図
【図１０】歯ブラシ温風加熱滅菌機１９の略視図
【発明を実施するための形態】
【００２４】  以下、本発明の実施の形態を図１〜図９に基づいて説明する。
【００２５】  図１において、１は組立てカートリッジ歯磨き残渣嚥下専用の省エネ歯ブラシ１４のブラシ部品８とハンドル部品９の接続部分の断面を示す側面図である。
【００２６】  図２は、図１のブラシ部品８の平面図でブラシ面に特徴的な風水孔２を囲む孔周歯型植毛３が在り背面にフラスコ型着脱溝１０が在る。
【００２７】  図３は、図２の背面図で、フラスコ型着脱溝１０の口が首の短いフラスコ型に見える。
【００２８】  図４は、図１・図２・図３・図６・図８・図９のブラシ部品に着脱するハンドル部品の着脱装置部分側面図である。
【００２９】  図５は、歯磨き残渣嚥下専用の省エネ歯ブラシ７の平面図である。
【００３０】  図６は、図１のハンドル部品９の平面図で先端をブラシ部品８・１５のフラスコ型着脱溝に与圧挿入して組立て歯ブラシを構成する部品である。
【００３１】  図７は、従来の専ら歯磨き残渣吐き出しに適した歯ブラシで、毛束の過密植毛が特徴の反省エネ的な歯ブラシである。
【００３２】  図８は、図７を、耐久性在るハンドルを用いた省エネにした、組立て式の従来歯ブラシ１６である。
【００３３】  図９は、歯磨き後の歯ブラシを滅菌する為、歯ブラシ容器１７に入れ、温風加熱滅菌器１８に接続した歯ブラシ温風加熱滅菌機１９の略視図である。
【符号の説明】
【００３４】１孔周植毛  ２風水孔  ３孔周植毛穴  ４ネック部  ５アーム部  ６取手  ７省エネ歯ブラシ  ８ブラシ部品  ９ハンドル部品  １０フラスコ型着脱溝  １１左右凹  １２左右凸１３フラスコ型着脱突起  １４組立省エネ歯ブラシ  １５従来歯ブラシのブラシ部品
１６組立省エネ従来歯ブラシ  １７歯ブラシ容器  １８温風加熱滅菌機
１９歯ブラシ温風加熱滅菌機  ２０架け橋  ２１縦首凹
【図１】
2015205146.tif 000003
【図２】
2015205146.tif 000004
【図３】
2015205146.tif 000005
【図４】
2015205146.tif 000006
【図５】
2015205146.tif 000007
【図６】
2015205146.tif 000008
【図７】
2015205146.tif 000009
【図８】
2015205146.tif 000010
【図９】
2015205146.tif 000011
【図１０】
2015205146.tif 000012